(57)【要約】【課題】デジタルカメラ等の撮影装置において、容易に露出を調整できるようにする。【解決手段】ＣＣＤ５８により被写体を撮像し、これをスルー画像として液晶モニタ１８に表示する。この際、ＣＣＤ５８による撮像時の露出をＡＥ／ＡＷＢ処理部６３により設定する。表示態様制御部８０は、ＡＥ／ＡＷＢ処理部６３が設定した露出設定値に基づいてスルー画像の輝度レベルを修正し、輝度レベルが修正されたスルー画像における所定の輝度レベルとなる部分について、表示態様を変化させてスルー画像を液晶モニタ１８に表示する。【選択図】図３
2007208356.tif 000002
【特許請求の範囲】
【請求項１】
被写体を撮像する撮像手段と、
撮影準備状態にあるときに、前記撮像手段が撮像した画像をスルー画像として表示する表示手段と、
前記撮像手段による撮像時の露出を設定する露出設定手段と、
前記露出設定手段が設定した露出設定値に基づいて前記スルー画像の輝度レベルを修正し、該輝度レベルが修正されたスルー画像における所定の輝度レベルとなる部分の表示態様を変化させる表示態様制御手段とを備えたことを特徴とする撮影装置。
【請求項２】
前記所定の輝度レベルは、あらかじめ定められた輝度の上限値以上、下限値以下または中央値を基準とした所定範囲であることを特徴とする請求項１記載の撮影装置。
【請求項３】
被写体を撮像する撮像手段と、
撮影準備状態にあるときに、前記撮像手段が撮像した画像をスルー画像として表示する表示手段と、
前記撮像手段による撮像時の露出を設定する露出設定手段と、
前記露出設定手段が設定した露出設定値に基づいて前記スルー画像の輝度レベルを修正し、該輝度レベルが修正されたスルー画像のコントラストが所定の状態にない場合、前記スルー画像のコントラストを調整して前記表示手段に表示するコントラスト調整手段とを備えたことを特徴とする撮影装置。
【請求項４】
前記所定の状態は、オーバー、アンダー、低コントラストまたは高コントラストであることを特徴とする請求項３記載の撮影装置。
【請求項５】
被写体を撮像する撮像手段と、
撮影準備状態にあるときに、前記撮像手段が撮像した画像をスルー画像として表示する表示手段と、
前記撮像手段による撮像時の露出を設定する露出設定手段とを備えた撮影装置における撮影方法において、
前記露出設定手段が設定した露出設定値に基づいて前記スルー画像の輝度レベルを修正し、
該輝度レベルが修正されたスルー画像における所定の輝度レベルとなる部分の表示態様を変化させることを特徴とする撮影方法。
【請求項６】
被写体を撮像する撮像手段と、
撮影準備状態にあるときに、前記撮像手段が撮像した画像をスルー画像として表示する表示手段と、
前記撮像手段による撮像時の露出を設定する露出設定手段とを備えた撮影装置における撮影方法において、
前記露出設定手段が設定した露出設定値に基づいて前記スルー画像の輝度レベルを修正し、
該輝度レベルが修正されたスルー画像のコントラストが所定の状態にない場合、前記スルー画像のコントラストを調整して前記表示手段に表示することを特徴とする撮影方法。
【請求項７】
被写体を撮像する撮像手段と、
撮影準備状態にあるときに、前記撮像手段が撮像した画像をスルー画像として表示する表示手段と、
前記撮像手段による撮像時の露出を設定する露出設定手段とを備えた撮影装置における撮影方法をコンピュータに実行させるためのプログラムにおいて、
前記露出設定手段が設定した露出設定値に基づいて前記スルー画像の輝度レベルを修正する手順と、
該輝度レベルが修正されたスルー画像における所定の輝度レベルとなる部分の表示態様を変化させる手順とを有することを特徴とするプログラム。
【請求項８】
被写体を撮像する撮像手段と、
撮影準備状態にあるときに、前記撮像手段が撮像した画像をスルー画像として表示する表示手段と、
前記撮像手段による撮像時の露出を設定する露出設定手段とを備えた撮影装置における撮影方法をコンピュータに実行させるためのプログラムにおいて、
前記露出設定手段が設定した露出設定値に基づいて前記スルー画像の輝度レベルを修正する手順と、
該輝度レベルが修正されたスルー画像のコントラストが所定の状態にない場合、前記スルー画像のコントラストを調整して前記表示手段に表示する手順とを有することを特徴とするプログラム。
【発明の詳細な説明】
【技術分野】
【０００１】
本発明は、撮影により画像を取得するデジタルカメラ等の撮影装置および撮影方法並びに撮影方法をコンピュータに実行させるためのプログラムに関するものである。
【背景技術】
【０００２】
従来、ＣＣＤ等の撮像素子を備えたデジタルカメラにおいて、レリーズボタンを押下することにより直ちに撮影が可能な撮影準備状態にあるときに、操作に関係なく撮像素子が撮像した画像を逐次取り込み、それをスルー画像として液晶モニタに表示させることにより、液晶モニタにファインダの機能を持たせるものが多い。このようなデジタルカメラにおいては、撮影時には常に適正な露出が得られるように、自動露出制御（ＡＥ）機能を有するものが一般的であるが、予想外の撮影環境により常に適正露出を得ることは困難であり、その結果、画像にとびやつぶれが生じてしまう場合がある。このため、一般に、制御目標となる露出（具体的には絞りおよびシャッタスピード））がマニュアル操作により補正できるようになっている。
【０００３】
なお、露出は、具体的にはデジタルカメラの測光部により画角内の特定範囲の測光を行い、その測光結果に基づいて絞りやシャッタスピードを調節することにより決定される。すなわち、撮影時を例にとると、撮影前にＣＣＤから取り込んだ特定範囲の撮影信号に基づいて被写体の輝度値を算出してこの値を測光値として設定する処理を測光部で行い、さらに、測光値と絞りおよびシャッタスピードとの関係を示したプログラム線図を参照して、測光部で測光された特定範囲の測光値に対する絞りおよびシャッタスピードの条件を露出設定値として算出し、その条件になるようにデジタルカメラの絞りおよびシャッタスピードを自動で調節する。
【０００４】
また、上記補正のための補助機能として、固体撮像素子に撮像されている画像から輝度値の頻度分布を示すヒストグラムを作成して液晶モニタに表示することによって、撮像時の露出が適正か否かが確認できるようにしたものがある。
【０００５】
しかしながら、ヒストグラムを表示させるデジタルカメラにおいても、ヒストグラムから露出が適正か否かの確認はできるものの、例えば露出調整を行っているとき、それが調整範囲の上限または下限に達しているにも拘わらず無駄な調整操作を繰り返してしまうことがあった。このため、露出値が調整範囲の上限または下限に達している場合と達していない場合とで、表示されるヒストグラムの色や点滅の状態を変更するようにしたデジタルカメラが提案されている（特許文献１）。このデジタルカメラによれば、デジタルカメラのユーザは視覚的に容易に露出値が調整範囲の上限または下限に達しているか否かを確認することができるため、露出の調整を容易に行うことができる。
【０００６】
また、画像全体の輝度についてのヒストグラムと、画像の中央にある主要な被写体のみの輝度についてのヒストグラムとを同時に表示するようにしたデジタルカメラも知られている（特許文献２）。このデジタルカメラによれば、主要な被写体の露出の補正を適切に行うことができる。
【特許文献１】特開２００１−２４５２０４号公報
【特許文献２】特開２００３−３３３３７８号公報
【発明の開示】
【発明が解決しようとする課題】
【０００７】
上述したように輝度のヒストグラムを見れば画像全体の輝度分布を容易に知ることができる。しかしながら、ヒストグラムの見方を知らなければ、適切に露出を調整することは困難である。
【０００８】
本発明は、上記事情に鑑みなされたものであり、デジタルカメラ等の撮影装置において、容易に露出を調整できるようにすることを目的とする。
【課題を解決するための手段】
【０００９】
本発明による第１の撮影装置は、被写体を撮像する撮像手段と、
撮影準備状態にあるときに、前記撮像手段が撮像した画像をスルー画像として表示する表示手段と、
前記撮像手段による撮像時の露出を設定する露出設定手段と、
前記露出設定手段が設定した露出設定値に基づいて前記スルー画像の輝度レベルを修正し、該輝度レベルが修正されたスルー画像における所定の輝度レベルとなる部分の表示態様を変化させる表示態様制御手段とを備えたことを特徴とするものである。
【００１０】
「スルー画像」とは、撮影装置が撮影準備状態にあるときに、操作に関係なく撮像手段が被写体を逐次撮像することにより取得される画像である。
【００１１】
なお、本発明による第１の撮影装置においては、前記所定の輝度レベルを、あらかじめ定められた輝度の上限値以上、下限値以下または中央値を基準とした所定範囲としてもよい。
【００１２】
本発明による第２の撮影装置は、被写体を撮像する撮像手段と、
撮影準備状態にあるときに、前記撮像手段が撮像した画像をスルー画像として表示する表示手段と、
前記撮像手段による撮像時の露出を設定する露出設定手段と、
前記露出設定手段が設定した露出設定値に基づいて前記スルー画像の輝度レベルを修正し、該輝度レベルが修正されたスルー画像のコントラストが所定の状態にない場合、前記スルー画像のコントラストを調整して前記表示手段に表示するコントラスト調整手段とを備えたことを特徴とするものである。
【００１３】
なお、本発明による第２の撮影装置においては、前記所定の状態を、オーバー、アンダー、低コントラストまたは高コントラストとしてもよい。
【００１４】
本発明による第１の撮影方法は、被写体を撮像する撮像手段と、
撮影準備状態にあるときに、前記撮像手段が撮像した画像をスルー画像として表示する表示手段と、
前記撮像手段による撮像時の露出を設定する露出設定手段とを備えた撮影装置における撮影方法において、
前記露出設定手段が設定した露出設定値に基づいて前記スルー画像の輝度レベルを修正し、
該輝度レベルが修正されたスルー画像における所定の輝度レベルとなる部分の表示態様を変化させることを特徴とするものである。
【００１５】
本発明による第２の撮影方法は、被写体を撮像する撮像手段と、
撮影準備状態にあるときに、前記撮像手段が撮像した画像をスルー画像として表示する表示手段と、
前記撮像手段による撮像時の露出を設定する露出設定手段とを備えた撮影装置における撮影方法において、
前記露出設定手段が設定した露出設定値に基づいて前記スルー画像の輝度レベルを修正し、
該輝度レベルが修正されたスルー画像のコントラストが所定の状態にない場合、前記スルー画像のコントラストを調整して前記表示手段に表示することを特徴とするものである。
【００１６】
なお、本発明による第１および第２の撮影方法をコンピュータに実行させるためのプログラムとして提供してもよい。
【発明の効果】
【００１７】
本発明による第１の撮影装置および方法は、露出設定値に基づいてスルー画像の輝度レベルを修正し、輝度レベルが修正されたスルー画像において所定の輝度レベルとなる部分の表示態様を変化させるようにしたものである。このため、スルー画像を見れば、画像における所定の輝度レベルとなる部分を容易に認識することができ、これにより、その部分が適正な輝度レベルとなるようにするための露出の調整を容易に行うことが可能となる。
【００１８】
本発明による第２の撮影装置および方法は、露出設定値に基づいてスルー画像の輝度レベルを修正し、輝度レベルが修正されたスルー画像のコントラストが所定の状態にない場合、スルー画像のコントラストを調整して表示するようにしたものである。このため、スルー画像のコントラストが所定の状態にない場合であっても、コントラストが調整された画像により、これから撮影を行う画像の内容を確認することができる。
【発明を実施するための最良の形態】
【００１９】
以下、図面を参照して本発明の実施形態について説明する。図１は本発明の撮影装置の第１の実施形態であるデジタルカメラ１の背面を中心とする斜視図である。図１に示すように、このデジタルカメラ１の背面には、撮影者による操作のためのインターフェースとして、動作モードスイッチ１１、メニュー／ＯＫボタン１２、ズーム／上下矢印レバー１３、左右矢印ボタン１４、Ｂａｃｋ（戻る）ボタン１５、表示切替ボタン１６を有している他、ファインダ１７、液晶モニタ１８を有している。また、上面には、レリーズボタン１９を有している。図２は第１の実施形態によるデジタルカメラ１の前面を中心とする斜視図である。図２に示すように、前面には、レンズ２０、レンズカバー２１、電源スイッチ２２、ファインダ窓２３、ストロボ２４、セルフタイマーランプ２５を有している。
【００２０】
動作モードスイッチ１１は、静止画撮影モード、動画撮影モード、および再生モードの各動作モードを切り替えるためのスライドスイッチである。
【００２１】
メニュー／ＯＫボタン１２は、押下することによって、撮影モード、ストロボ発光モード、記録画素数や感度等の設定を行うための各種メニューを液晶モニタ１８に表示させたり、液晶モニタ１８に表示されたメニューに基づく選択・設定を確定させたりするためのボタンである。なお、メニュー／ＯＫボタン１２により、撮影モードを露出やホワイトバランスをすべて自動で設定するためのオートモード、およびマニュアルで設定するためのマニュアルモードに設定可能である。また、第１の実施形態においては、デジタルカメラ１の動作モードとしてスルー画像において輝度の分布を確認するための輝度確認モードを設定することが可能である。
【００２２】
ズーム／上下矢印レバー１３は、上下方向にレバーを倒すことによって、撮影時は望遠／広角の調整を行い、各種設定時は液晶モニタ１８に表示されるメニュー画面中のカーソルを上下に移動させるためのレバーである。
【００２３】
左右矢印ボタン１４は、各種設定時に液晶モニタ１８に表示されるメニュー画面中のカーソルを左右に移動させるためのボタンである。
【００２４】
Ｂａｃｋ（戻る）ボタン１５は、押下することによって各種設定操作を中止し、１つ前の画面に戻るためのボタンである。
【００２５】
表示切替ボタン１６は、押下することによって、液晶モニタ１８の表示のＯＮ／ＯＦＦ、各種ガイド表示、文字表示のＯＮ／ＯＦＦ等を切り替えるためのボタンである。
【００２６】
各ボタン、レバーの操作によって設定された内容は、液晶モニタ１８中の表示や、ファインダ内のランプ、スライドレバーの位置等によって確認することができるようになっている。
【００２７】
液晶モニタ１８は、撮影の際に被写体確認用のスルー画を表示することにより、電子ビューファインダとして機能する他、撮影後の静止画や動画の再生表示、各種設定メニューの表示を行う。
【００２８】
図３は本発明の撮影装置の第１の実施形態であるデジタルカメラの構成を示す概略ブロック図である。図３に示すデジタルカメラ１は、撮影により取得した画像データを、Ｅｘｉｆ形式の画像ファイルに変換して、本体に着脱可能な外部記録メディア７０へ記録するものである。
【００２９】
このデジタルカメラの操作系としては、前述の動作モードスイッチ１１、メニュー／ＯＫボタン１２、ズーム／上下矢印レバー１３、左右矢印ボタン１４、Ｂａｃｋ（戻る）ボタン１５、表示切替ボタン１６、レリーズボタン１９、電源スイッチ２２と、これらのスイッチ類の操作内容をＣＰＵ７５に伝えるためのインターフェース部分である操作系制御部７４とを有している。
【００３０】
光学系としては、フォーカスレンズ２０ａおよびズームレンズ２０ｂを有している。各々のレンズは、モータとモータドライバとからなるフォーカスレンズ駆動部５１およびズームレンズ駆動部５２によって光軸方向に移動可能である。フォーカスレンズ駆動部５１はＡＦ処理部６２から出力されるフォーカス駆動量データに基づいて、ズームレンズ駆動部５２はズーム／上下矢印レバー１３の操作量データに基づいて、各々のレンズの移動を制御する。
【００３１】
また、絞り５４は、モータとモータドライバとからなる絞り駆動部５５によって駆動される。この絞り駆動部５５は、ＡＥ／ＡＷＢ処理部６３から出力される絞り値データに基づいて絞り径の調整を行う。
【００３２】
シャッタ５６は、メカニカルシャッタであり、モータとモータドライバとからなるシャッタ駆動部５７によって駆動される。シャッタ駆動部５７は、レリーズボタン１９の押下により発生する信号と、ＡＥ／ＡＷＢ処理部６３から出力されるシャッタスピードデータとに応じて、シャッタ５６の開閉の制御を行う。
【００３３】
光学系の後方には、撮像素子であるＣＣＤ５８を有している。ＣＣＤ５８は、多数の受光素子を２次元的に配列した光電面を有しており、光学系を通過した被写体光がこの光電面に結像し、光電変換される。光電面の前方には、各画素に光を集光するためのマイクロレンズアレイと、Ｒ，Ｇ，Ｂ各色のフィルタが規則的に配列されたカラーフィルタアレイとが配置されている。ＣＣＤ５８は、ＣＣＤ制御部５９から供給される垂直転送クロックおよび水平転送クロックに同期して、画素毎に蓄積された電荷を１ラインずつシリアルなアナログ撮影信号として出力する。各画素において電荷を蓄積する時間、すなわち、露出時間は、ＣＣＤ制御部５９から与えられる電子シャッタ駆動信号によって決定される。
【００３４】
ＣＣＤ５８から取り込まれたアナログ撮影信号は、アナログ信号処理部６０に入力される。アナログ信号処理部６０は、アナログ信号のノイズを除去する相関２重サンプリング回路（ＣＤＳ）と、アナログ信号のゲインを調節するオートゲインコントローラ（ＡＧＣ）と、アナログ信号をデジタル信号に変換するＡ／Ｄコンバータ（ＡＤＣ）とからなる。このデジタル信号に変換された画像データは、画素毎にＲ，Ｇ，Ｂの濃度値を持つＣＣＤ−ＲＡＷデータである。
【００３５】
タイミングジェネレータ７２は、タイミング信号を発生させるものであり、このタイミング信号をシャッタ駆動部５７、ＣＣＤ制御部５９、アナログ信号処理部６０に供給することにより、レリーズボタン１９の操作、シャッタ５６の開閉、ＣＣＤ５８の電荷の取込み、およびアナログ信号処理部６０の処理の同期を取っている。
【００３６】
ストロボ制御部７３は、撮影時にストロボ２４を発光させる。
【００３７】
画像入力コントローラ６１は、アナログ信号処理部６０から入力されたＣＣＤ−ＲＡＷデータをフレームメモリ６６に書き込む。
【００３８】
フレームメモリ６６は、画像データに対して後述の各種デジタル画像処理（信号処理）を行う際に使用する作業用メモリであり、例えば、一定周期のバスクロック信号に同期してデータ転送を行うＳＤＲＡＭ(Synchronous Dynamic Random Access Memory)が使用される。
【００３９】
表示制御部７１は、フレームメモリ６６に格納された画像データをスルー画像として液晶モニタ１８に表示させたり、再生モード時に外部記録メディア７０に格納されている画像データを液晶モニタ１８に表示させたりするためのものである。なお、スルー画像は、撮影モードが選択されている間、所定間隔でＣＣＤ５８により撮像される。
【００４０】
ＡＦ処理部６２およびＡＥ／ＡＷＢ処理部６３は、プレ画像またはスルー画像に基づいて撮影条件を決定する。このプレ画像とは、レリーズボタン１９が半押しされることによって発生する半押し信号を検出したＣＰＵ７５がＣＣＤ５８にプレ撮影を実行させた結果、フレームメモリ６６に格納された画像データにより表される画像である。
【００４１】
ＡＦ処理部６２は、プレ画像に基づいて焦点位置を検出し、フォーカス駆動量データを出力する。焦点位置の検出方式としては、例えば、ピントが合った状態では画像のコントラストが高くなるという特徴を利用して合焦位置を検出するパッシブ方式が考えられる。
【００４２】
ＡＥ／ＡＷＢ処理部６３は、プレ画像に基づいて被写体輝度を測定し、測定した被写体輝度に基づいて絞り値、シャッタスピード等を決定し、絞り値データおよびシャッタスピードデータを露出設定値として決定するとともに（ＡＥ）、撮影時のホワイトバランスを自動調整する（ＡＷＢ）。なお、露出およびホワイトバランスについては、撮影モードがマニュアルモードに設定されている場合には、デジタルカメラ１のユーザがマニュアル操作により設定可能である。また、露出およびホワイトバランスが自動で設定された場合にも、ユーザがメニュー／ＯＫボタン１２等の操作系から指示を行うことにより、露出およびホワイトバランスをマニュアル調整することが可能である。さらに、第１の実施形態においては、デジタルカメラ１の動作モードが後述する輝度確認モードに設定された場合、ＡＥ／ＡＷＢ処理部６３はスルー画像に基づいて露出設定値を決定する。
【００４３】
画像処理部６４は、本画像の画像データに対して、ガンマ補正、シャープネス補正、コントラスト補正等の画質補正処理、ＣＣＤ−ＲＡＷデータを輝度信号であるＹデータと、青色色差信号であるＣｂデータおよび赤色色差信号であるＣｒデータとからなるＹＣＣデータに変換するＹＣＣ処理を行う。この本画像とは、レリーズボタン１９が全押しされることによって実行される本撮影においてＣＣＤ５８から取り込まれ、アナログ信号処理部６０、画像入力コントローラ６１経由でフレームメモリ６６に格納された画像データによる画像である。本画像の画素数の上限は、ＣＣＤ５８の画素数によって決定されるが、例えば、ファイン、ノーマル等の設定により、記録画素数を変更することができる。一方、スルー画像およびプレ画像の画像数は、本画像よりも少なく、例えば、本画像の１／１６程度の画素数で取り込まれる。
【００４４】
圧縮／伸長処理部６５は、画像処理部６４によって補正・変換処理が行われた本画像の画像データに対して、例えば、ＪＰＥＧ等の圧縮形式で圧縮処理を行い、画像ファイルを生成する。この画像ファイルには、Ｅｘｉｆフォーマット等に基づいて、撮影日時等の付帯情報が格納されたタグが付加される。また、圧縮／伸長処理部６５は、再生モードの場合には、外部記録メディア７０から圧縮された画像ファイルを読み出し、伸張処理を行う。伸長後の画像データは液晶モニタ１８に出力される。
【００４５】
メディア制御部６７は、外部記録メディア７０にアクセスして画像ファイルの書き込みと読み込みの制御を行う。
【００４６】
内部メモリ６８は、デジタルカメラ１において設定される各種定数、およびＣＰＵ７５が実行するプログラム等を格納する。
【００４７】
表示態様制御部８０は、後述するようにＡＥ／ＡＷＢ処理部６３がスルー画像に基づいて決定した露出設定値に基づいてスルー画像の輝度レベルを修正し、輝度レベルが修正されたスルー画像において所定の輝度レベルとなる部分の表示態様を変化させて、スルー画像を液晶モニタ１８に表示する。
【００４８】
ここで、所定の輝度レベルとは、輝度レベルの上限値、下限値および中央値を基準とした所定範囲の値である。なお、輝度レベルの上限値、下限値および中央値は、デジタルカメラ１においてあらかじめ設定されている、あるいはユーザがあらかじめ設定することが可能なものである。具体的には、例えば画像の輝度が０−２５５の８ビットで表される場合の、輝度の最大値から５％の値を上限値、最小値から５％の値を下限値、中央の値を中央値とすることができる。なお、本実施形態においては、上限値、下限値および中央値は、ユーザがメニュー／ＯＫボタン１２等の操作系を用いることにより設定することができ、設定された値は内部メモリ６８に格納されているものとする。
【００４９】
ＣＰＵ７５は、動作モードスイッチ１１等の操作系やＡＦ処理部６２等の各種処理部からの信号に応じてデジタルカメラ１の本体各部を制御する。
【００５０】
データバス７６は、画像入力コントローラ６１、各種処理部６２〜６５、フレームメモリ６６、メディア制御部６７、内部メモリ６８、表示制御部７１、表示態様制御部８０、およびＣＰＵ７５に接続されており、デジタル画像データ等のやり取りを行う。
【００５１】
次いで、以上の構成のデジタルカメラ１における輝度確認モード時に行われる処理について説明する。図４は第１の実施形態において行われる処理を示すフローチャートである。
【００５２】
デジタルカメラ１の動作モードが輝度確認モードに設定されることによりＣＰＵ７５が処理を開始し、まず撮影モードがオートモードに設定されているかマニュアルモードに設定されているかを判断する（ステップＳＴ１）。撮影モードがオートモードに設定されている場合には、ＡＥ／ＡＷＢ処理部６３がスルー画像に基づいて決定した露出設定値を表示態様制御部８０が取得し（ステップＳＴ２）、露出設定値に基づいてスルー画像の輝度レベルを修正する（ステップＳＴ３）。
【００５３】
ここで、スルー画像はあらかじめ定められた露出設定値に基づいて撮影を行うことにより取得されるものであり、ＡＥ／ＡＷＢ処理部６３が決定した露出設定値に基づいて取得される本画像とは輝度レベルが異なるものとなっている。このため、スルー画像の輝度レベルを本画像の輝度レベルと一致させるために、スルー画像の輝度レベルを露出設定値に基づいて修正するものである。
【００５４】
なお、撮影モードがマニュアルモードに設定されている場合には、マニュアル入力された露出設定値を取得し（ステップＳＴ４）、ステップＳＴ３において露出設定値に基づいてスルー画像の輝度レベルを修正する。そして輝度レベルが修正されたスルー画像の輝度値を横軸に、縦軸に頻度をプロットしたヒストグラムを作成し（ステップＳＴ５）、さらにユーザがあらかじめ設定した輝度レベルの上限値、下限値および中央値を内部メモリ６８から読み出す（ステップＳＴ６）。
【００５５】
続いて表示対象となる輝度レベルが操作系から入力されたか否かの監視を開始し（ステップＳＴ７）、ステップＳＴ７が肯定されると、ヒストグラムを参照して入力された輝度レベルに対応する部分の表示態様を変化させてスルー画像を表示する（ステップＳＴ８）。具体的には、ステップＳＴ７において入力された輝度レベルが上限である場合には、スルー画像における輝度レベルの上限値以上の輝度値を有する部分（白とびとなる部分）を例えば赤色にて点滅させる。また、ステップＳＴ７において入力された輝度レベルが下限である場合には、スルー画像における輝度レベルの下限値以下の輝度値を有する部分（つぶれてしまう部分）を例えば青色にて点滅させる。また、ステップＳＴ７において入力された輝度レベルが中央値である場合には、スルー画像における輝度レベルの中央値から所定範囲内にある輝度値を有する部分を例えば緑色にて点滅させる。
【００５６】
図５は表示態様の変化を説明するための図であり、図５（ａ）は表示態様を変化させる前のスルー画像を、図５（ｂ）は入力された輝度レベルが上限である場合のスルー画像を、図５（ｃ）は入力された輝度レベルが下限である場合のスルー画像を、図５（ｄ）は入力された輝度レベルが中央値である場合のスルー画像をそれぞれ示す。
【００５７】
ここで、図５（ａ）に示す直方体の被写体において、上面Ｍ１の輝度レベルが上限値以上であり、右側面Ｍ２の輝度レベルが下限値以下であり、正面Ｍ３の輝度レベルが中央値から所定範囲内であるとすると、入力された輝度レベルが上限である場合には、図５（ｂ）に示すように上面Ｍ１が赤色にて点滅する。また、入力された輝度レベルが下限である場合には、図５（ｃ）に示すように右側面Ｍ２が青色にて点滅する。また、入力された輝度レベルが中央値である場合には、図５（ｄ）に示すように正面Ｍ３が緑色にて点滅する。
【００５８】
このように、第１の実施形態においては、露出設定値に基づいてスルー画像の輝度レベルを修正し、輝度レベルが修正されたスルー画像において所定の輝度レベルとなる部分の表示態様を変化させるようにしたため、スルー画像を見れば、画像における所定の輝度レベルとなる部分を容易に認識することができる。したがって、ユーザは、例えば輝度レベルが上限値以上の白とびとなってしまう部分や、輝度レベルが下限値以下の黒つぶれとなってしまう部分がスルー画像においてなくなるように、マニュアル操作により露出を調整することが可能となり、これにより、適正な輝度レベルを有する画像を取得することができる。
【００５９】
なお、上記実施形態においては、修正された輝度レベルのヒストグラムを作成しているが、とくにヒストグラムを作成することなく、入力された輝度レベルとなる部分の表示態様を変化させてスルー画像を表示するようにしてもよい。
【００６０】
次いで、本発明の第２の実施形態について説明する。図６は本発明の撮影装置の第２の実施形態であるデジタルカメラの構成を示す概略ブロック図である。なお、第２の実施形態において第１の実施形態と同一の構成については同一の参照番号を付与し、ここでは詳細な説明は省略する。第２の実施形態によるデジタルカメラ１′は、第１の実施形態によるデジタルカメラ１の表示態様制御部８０に代えてコントラスト調整部８２を備え、動作モードとして輝度確認モードに代えてコントラスト調整モードを設定できるようにした点が第１の実施形態と異なる。
【００６１】
コントラスト調整部８２は、ＡＥ／ＡＷＢ処理部６３がスルー画像に基づいて決定した露出設定値に基づいてスルー画像の輝度レベルを修正し、修正された輝度レベルに基づくスルー画像のコントラストが所定の状態にない場合、スルー画像のコントラストを調整して液晶モニタ１８に表示する。
【００６２】
具体的には、上記第１の実施形態と同様に、露出設定値に基づいて輝度レベルが修正されたスルー画像の輝度のヒストグラムを作成し、ヒストグラムに基づいて画像のコントラストが所定の状態にあるか否かを判断し、所定の状態にない場合に、スルー画像のコントラストを補正して、適正なコントラストを有するスルー画像を液晶モニタ１８に表示する。
【００６３】
なお、コントラストが所定の状態にあるか否かは、スルー画像の露出がオーバーであるか、アンダーであるか、低コントラストかまたは高コントラストかを判断することにより行う。具体的には、ヒストグラムの分布範囲が高輝度側によっていればオーバー、低輝度側によっていればアンダー、ヒストグラムの分布範囲があらかじめ定められたしきい値Ｔｈ１より狭い場合には低コントラスト、ヒストグラムの分布範囲があらかじめ定められたしきい値Ｔｈ２より広い場合には高コントラストであると判断する。そして、露出オーバー、露出アンダー、低コントラストおよび高コントラストであると判断された場合に、コントラストが所定の状態にないと判断する。
【００６４】
次いで、第２の実施形態において行われる処理について説明する。図７は第２の実施形態において行われる処理を示すフローチャートである。
【００６５】
デジタルカメラ１の動作モードがコントラスト調整モードに設定されることによりＣＰＵ７５が処理を開始し、まず撮影モードがオートモードに設定されているかマニュアルモードに設定されているかを判断する（ステップＳＴ１１）。撮影モードがオートモードに設定されている場合には、ＡＥ／ＡＷＢ処理部６３がスルー画像に基づいて決定した露出設定値をコントラスト調整部８２が取得し（ステップＳＴ１２）、露出設定値に基づいてスルー画像の輝度レベルを修正する（ステップＳＴ１３）。
【００６６】
なお、撮影モードがマニュアルモードに設定されている場合には、マニュアル入力された露出設定値を取得し（ステップＳＴ１４）、ステップＳＴ１３において露出設定値に基づいてスルー画像の輝度レベルを修正する。そして輝度レベルが修正されたスルー画像の輝度値を横軸に、縦軸に頻度をプロットしたヒストグラムを作成し（ステップＳＴ１５）、ヒストグラムの分布範囲に基づいて輝度レベルが修正されたスルー画像のコントラストが所定の状態にあるか否かを判断する（ステップＳＴ１６）。
【００６７】
ステップＳＴ１６が否定されると、スルー画像のコントラストを調整し（ステップＳＴ１７）、スルー画像を液晶モニタ１８に表示し（ステップＳＴ１８）、リターンする。ステップＳＴ１６が肯定されるとスルー画像をそのまま表示し（ステップＳＴ１８）、リターンする。
【００６８】
このように、第２の実施形態においては、露出設定値に基づいてスルー画像の輝度レベルを修正し、輝度レベルが修正されたスルー画像のコントラストが所定の状態にない場合に、スルー画像のコントラストを調整して表示手段に表示するようにしたため、スルー画像のコントラストが露出オーバー、露出アンダー、低コントラストあるいは高コントラストにより適正なものでない場合であっても、コントラストが調整された画像により、これから撮影を行う画像の内容を確認することができる。
【００６９】
以上、本発明の実施形態に係るデジタルカメラについて説明したが、コンピュータを、上記の表示態様制御部８０およびコントラスト調整部８２に対応する手段として機能させ、図４および図７に示すような処理を行わせるプログラムも、本発明の実施形態の１つである。また、そのようなプログラムを記録したコンピュータ読取り可能な記録媒体も、本発明の実施形態の１つである。
【図面の簡単な説明】
【００７０】
【図１】本発明の撮影装置の第１の実施形態であるデジタルカメラの背面を中心とする斜視図
【図２】本発明の撮影装置の第１の実施形態であるデジタルカメラの前面を中心とする斜視図
【図３】本発明の撮影装置の第１の実施形態であるデジタルカメラの構成を示す概略ブロック図
【図４】第１の実施形態において行われる処理を示すフローチャート
【図５】表示態様の変化を説明するための図
【図６】本発明の撮影装置の第２の実施形態であるデジタルカメラの構成を示す概略ブロック図
【図７】第２の実施形態において行われる処理を示すフローチャート
【符号の説明】
【００７１】
１，１′  デジタルカメラ
１８    液晶モニタ
５８    ＣＣＤ
５９    ＣＣＤ制御部
７１    表示制御部
７５    ＣＰＵ
８０    表示態様制御部
８２    コントラスト調整部
【図１】
2007208356.tif 000003
【図２】
2007208356.tif 000004
【図３】
2007208356.tif 000005
【図４】
2007208356.tif 000006
【図５】
2007208356.tif 000007
【図６】
2007208356.tif 000008
【図７】
2007208356.tif 000009